(57)【特許請求の範囲】
【請求項１】
複数の営業店に設置された複数の固定電話機と、前記営業店又は従業員が所持する予め登録された電話番号の携帯電話機と、前記固定電話機及び前記携帯電話機と通信網又は携帯電話中継局及び基地局を介して接続される出退勤時間管理サーバとを備え、前記営業店毎に従業員の出退勤情報を収集して集計及び管理する出退勤時間管理システムであって、
前記携帯電話機は、前記営業店において前記固定電話機が設置される場所を含む領域であって前記出退勤時間管理サーバと通信することができる領域から発呼した場合に前記出退勤時間管理サーバと接続し、
前記出退勤情報には、少なくとも、出社か退社かの区別を示す出退勤区分コードが含まれており、
前記出退勤時間管理サーバにおいて、前記複数の固定電話機及び前記携帯電話機のうちの任意の１台からの発呼を受信した時に、当該発呼を行った電話機を介して前記出退勤情報を入力させるための入力用情報を、当該発呼を行った電話機に対して送信する手段と、
前記発呼を行った電話機において前記入力用情報を用いて従業員の出退勤情報を入力すると共に前記出退勤時間管理サーバに送信する手段と、
前記出退勤時間管理サーバにおいて全営業店の全従業員から送信される前記出退勤情報を受信して記録及び集計すると共に、当該記録及び集計結果から全営業店における全従業員の出退勤情報を記載した出退勤時間一覧表を作成する手段と、
を備えたことを特徴とする出退勤時間管理システム。
【請求項２】
前記入力用情報は、前記出退勤情報の入力を案内するための音声ガイダンス情報又は入力案内画面情報を含むことを特徴とする請求項１に記載の出退勤時間管理システム。
【請求項３】
前記従業員が所持する携帯電話機は、前記領域以外から発呼した場合、前記従業員が所持する携帯電話機から入力される前記出退勤情報に前記営業店内において視認可能な暗証が含まれているとき、前記出退勤時間管理サーバと接続し、
前記出退勤時間管理サーバは、前記営業店からの発呼であることを検証することを特徴とする請求項１に記載の出退勤時間管理システム。
【請求項４】
前記発呼元の電話番号をキーにして、電話番号と対応させて予め登録していた営業店名を特定することを特徴とする請求項３に記載の出退勤時間管理システム。
【請求項５】
前記発呼元の電話番号をキーにして、電話番号と対応させて予め登録していた従業員ＩＤを特定することを特徴とする請求項４に記載の出退勤時間管理システム。
【請求項６】
前記特定された従業員ＩＤをキーにして、従業員ＩＤと対応させて予め登録していた営業店名を特定することを特徴とする請求項５に記載の出退勤時間管理システム。
【請求項７】
前記出退勤時間管理サーバにおいて前記複数の固定電話機及び前記携帯電話機のうちの任意の１台からの発呼を受信した時刻でもって、当該発呼操作を行った従業員の出社時刻または退社時刻と見なすことを特徴とする請求項６に記載の出退勤時間管理システム。
【発明の詳細な説明】
【技術分野】
【０００１】
本発明は、出退勤時間管理システムに係り、特に、複数の営業店（支店）を有する会社等の組織において、各営業店における従業員の出退勤管理（出退勤の時間管理）を中央の本部において一括管理する出退勤時間管理システムに関する。
【背景技術】
【０００２】
近年、従業員の出退勤時刻を入力する方法として、従来の専用タイムレコーダを用いた入力方法に代えて、事業所に設置された電話機（固定電話機及び携帯電話機）や端末装置を使用する方法が提案されている（例えば、特許文献１を参照）。
【０００３】
しかし、この方法では、電話機で入力している者が、本当に従業員ＩＤ（識別番号）で示される当の従業員であるか否かを管理サーバ側は特定することができない。そこで、入力者の声紋を事前に登録しておき、入力時には入力者の声紋も入力させるようにし、管理サーバにおいて照合チェックを実施することにより本人の認証を行う方法も提案されている（例えば、特許文献２、特許文献３を参照）。
【特許文献１】特開２００３−２１６７９０号公報
【特許文献２】特開２０００−２４４６５７号公報
【特許文献３】特開２００６−９２２２９号公報
【発明の開示】
【発明が解決しようとする課題】
【０００４】
しかし、このような従来の出退勤時間管理システムにあっては、出退勤時刻を入力するための電話機や端末装置が、事業所に設置の設備に限定されるため、その設置台数が制限されており、このため、入力待ちの従業員の待ち時間が長くなり、例えば、出社して来ても直ぐには出社時刻の入力ができず、出社時点から大幅に遅れて、やっと入力できる頃には遅刻となってしまうという不都合があった。
【０００５】
特に、一般に従業員には、始業時刻近く（例えば５分前）になって出社して来るという傾向があるので、入力の順番が回って来た頃には遅刻、即ち始業時間オーバーとなってしまうケースが多発することになる。
【０００６】
これを緩和するには、事業所に設置する電話機（固定電話機及び携帯電話機）や端末装置の台数を増やせば良いのであるが、その方法では、新たな電話機等の装置の設置コストや、新たな電話回線の契約費用が増大するという問題点がある。
【０００７】
このため、本発明は、複数の営業店を有する会社等の組織において、各営業店にタイムレコーダを設置することなく、本部において従業員の出退勤管理を容易に一括管理可能な出退勤時間管理システムを提供することを目的とする。
【課題を解決するための手段】
【０００８】
本発明は、上記した従来の出退勤時間管理システムの課題に鑑みてなされたものであり、複数の営業店に設置された複数の固定電話機と、前記営業店又は従業員が所持する予め登録された電話番号の携帯電話機と、前記固定電話機及び前記携帯電話機と通信網又は携帯電話中継局及び基地局を介して接続される出退勤時間管理サーバとを備え、前記営業店毎に従業員の出退勤情報を収集して集計及び管理する出退勤時間管理システムであって、前記携帯電話機は、前記営業店において前記固定電話機が設置される場所を含む領域であって前記出退勤時間管理サーバと通信することができる領域から発呼した場合に前記出退勤時間管理サーバと接続し、前記出退勤情報には、少なくとも、出社か退社かの区別を示す出退勤区分コードが含まれており、前記出退勤時間管理サーバにおいて、前記複数の固定電話機及び前記携帯電話機のうちの任意の１台からの発呼を受信した時に、当該発呼を行った電話機を介して前記出退勤情報を入力させるための入力用情報を、当該発呼を行った電話機に対して送信する手段と、前記発呼を行った電話機において前記入力用情報を用いて従業員の出退勤情報を入力すると共に前記出退勤時間管理サーバに送信する手段と、前記出退勤時間管理サーバにおいて全営業店の全従業員から送信される前記出退勤情報を受信して記録及び集計すると共に、当該記録及び集計結果から全営業店における全従業員の出退勤情報を記載した出退勤時間一覧表を作成する手段と、を備えたことを特徴とする出退勤時間管理システムを提供するものである。
【０００９】
このように構成することにより、電話機、携帯電話機、パソコンレベルの端末装置、市販の電話情報収集装置、といった既存の機器だけを使用してシステムを構築することができるので、カードリーダや個人認証用のカードの導入が必要な従来の出退勤時間管理システムに比べて、設置コストが大幅に安い出退勤時間管理システムを実現することができる。
【００１０】
ここで、前記出退勤時間管理システムにおいて、電話機は、固定電話機及び携帯電話機である。このように構成することにより、固定電話機と携帯電話機との組み合わせにより、設置コストの低減を狙えると共に、回線の種類を２種類とすることにより、回線障害等のトラブルを回避することができる。
【００１１】
また、前記出退勤時間管理システムにおいて、前記携帯電話機は、前記営業店又は前記従業員が所持する予め登録された電話番号のものである。これにより、出退勤時刻を入力するための電話設備として、事業所設置の電話機や端末装置に加えて従業員が所持する携帯電話の使用も可能であるので、出退勤時刻の入力待ちを発生させることがない出退勤時間管理システムを実現することができる。
【００１２】
また、前記出退勤時間管理システムにおいて、前記入力用情報は、前記出退勤情報を入力させるための、音声ガイダンス情報を含むか、若しくは入力画面情報を含むことを特徴とする。これにより、出退勤情報における各データ項目の入力誤りを逓減することができる。
【００１３】
また、前記出退勤時間管理システムにおいて、前記出退勤情報には、少なくとも、出社か退社かの区別を示す出退勤区分コードが含まれていることを特徴とする。このように構成することにより、出社か退社かの区別を明確にできると共に、入力用情報は、出社と退社で共用できるので、入力用情報の構成を簡単にすることができる。
【００１４】
また、前記出退勤時間管理システムにおいて、前記従業員が所持する携帯電話機から入力される前記出退勤情報には、営業店内においてのみ視認可能であり、かつ日替わりで表示される暗証が含まれ、前記出退勤時間管理サーバにおいて営業店内からの入力であることを検証することを特徴とする。これにより、従業員が在宅のままに、従業員が所持する携帯電話機を介して出退勤情報を不正に入力する行為を防止することができる。
【００１５】
また、前記出退勤時間管理システムにおいて、前記発呼元の電話番号をキーにして、電話番号と対応させて予め登録していた営業店名を特定することを特徴とする。このように構成することにより、出退勤情報において営業店名の入力を省略することが可能な出退勤時間管理システムを実現することができる。
【００１６】
また、前記出退勤時間管理システムにおいて、前記発呼元の電話番号をキーにして、電話番号と対応させて予め登録していた従業員ＩＤを特定することを特徴とする。これにより、従業員が所持する携帯電話を介して出退勤情報を入力する場合には、従業員ＩＤの入力を省略することが可能な出退勤時間管理システムを実現することができる。
【００１７】
また、前記出退勤時間管理システムにおいて、前記特定された従業員ＩＤをキーにして、従業員ＩＤと対応させて予め登録していた営業店名を特定することを特徴とする。これにより、従業員が所持する携帯電話を介して出退勤情報を入力する場合には、従業員ＩＤの入力と共に営業店名の入力をも省略することが可能な出退勤時間管理システムを実現することができる。
【００１８】
さらに、前記出退勤時間管理サーバにおいて前記電話機の任意の１台からの発呼を受信した時刻でもって、当該発呼操作を行った従業員の出社時刻または退社時刻と見なすことを特徴とする。これにより、どのような電話機を用いて入力する場合であっても、出社時刻または退社時刻の入力を省略することが可能な出退勤時間管理システムを実現することができる。
【発明の効果】
【００１９】
本発明の出退勤時間管理システムによれば、電話機、携帯電話機、パソコンレベルの端末装置、市販の電話情報収集装置、といった既存の機器だけを使用してシステムを構築することができるので、カードリーダや個人認証用のカードの導入が必要な従来の出退勤時間管理システムに比べて、設置コストを大幅に削減することができる。
【００２０】
また、出退勤時刻を入力するための電話設備として、事業所設置の電話機や端末装置に加えて従業員が所持する携帯電話の使用も可能にしたので、出退勤時刻の入力待ちの待ち行列を発生させることがない。さらに、従業員が在宅のままに、営業店日替り暗証表示盤を使用することで、従業員が所持する携帯電話機を介して出退勤情報を入力する不正行為を防止できる。
【発明を実施するための最良の形態】
【００２１】
以下、図面を参照して、本発明の実施の形態について詳細に説明する。
【００２２】
図１は、本発明の実施形態に係る出退勤時間管理システムが適用される営業体の組織全体の１構成例を示す説明図である。
【００２３】
図１に例示する営業体の組織は、中央に置かれた本部の回りに１以上の営業店（ここでは営業店Ａ乃至Ｇ）が配置された構成となっている。
【００２４】
営業店Ａ乃至Ｇの各々には１以上の従業員が配属され、それぞれ勤務しているものとする。本発明に係る出退勤時間管理システムは、これら営業店Ａ乃至Ｇに配属されて勤務している従業員の出退勤時間を、本部において一括して集計し、管理するものである。
【００２５】
図２は、本発明の実施形態に係る出退勤時間管理システムの全体構成の１例を示す構成図である。図２に例示するように、本発明の実施形態に係る出退勤時間管理システムは、１以上の営業店（ここではＡ乃至Ｇ）の各々設置された電話機設置場所１１において出退勤情報を入力し、送信するための１台以上の固定式の電話機１２、及び１台以上の携帯電話機１３を備え、本部において、少なくとも１つの出退勤時間管理サーバ２１を備える。固定式の電話機１２の各々と出退勤時間管理サーバ２１との間は通信網１０により互いに通信可能に接続される。また、携帯電話機１３の各々と出退勤時間管理サーバ２１との間は、携帯電話中継局及び基地局２０によって互いに通信可能に結ばれる。
【００２６】
通信網１０は、公衆電話回線の他、ＬＡＮ（Local Area
Network）、インターネット網等を含んで構築することができる。また、携帯電話中継局及び基地局２０は、通信網１０やインターネット網等と接続することができる。
【００２７】
営業店（ここではＡ乃至Ｇ）に出社して来た各々従業員は、電話機設置場所１１に設置された固定式の電話機１２または携帯電話機１３を使用して自己の出社時間情報（後述する）を入力し、この入力した当該出社時間情報を通信網１０または携帯電話中継局及び基地局２０を介して出退勤時間管理サーバ２１に送信する。また、営業店（ここではＡ乃至Ｇ）から退社する場合にも、同様に、電話機設置場所１１に設置された固定式の電話機１２または携帯電話機１３を使用して自己の退社時間情報を入力し、この入力した当該退社時間情報を通信網１０または携帯電話中継局及び基地局２０を介して出退勤時間管理サーバ２１に送信する。
【００２８】
本部２に設置された出退勤時間管理サーバ２１は、この出社時間情報等及び退社時間情報等から出社及び退社時間を割り出し、営業店毎及び従業員毎に集計して出退勤時間一覧表を作成し、印刷する。この処理に際して、出退勤時間管理サーバ２１は、送信された出退勤情報に加えて、固定式の電話機１２または携帯電話１３の電話番号により、営業店名や従業員ＩＤを割り出す。また、出退勤情報を送信するための電話機からの発呼の受信時刻により、出退勤時刻を割り出す。
【００２９】
図３は、本発明の実施形態に係る出退勤時間管理システムの全体構成の他の１例を示す構成図である。
【００３０】
図３に示す構成では、営業店１Ａ（ここではＡ乃至Ｇ）に、図２に示す営業店１の電話機設置場所１１において設置された設備以外に、電話機設置場所１１以外であっても、従業員の各々が所持する携帯電話機１３Ａを使用して自己の出退勤情報を入力及び送信できるようにしている。この時、営業店日替り暗証表示盤１４に表示されている暗証（番号とは限らず、英文字を混ぜてもよい）も併せて入力及び送信することで、確かに営業店の内部からの送信であることを認証できるようにしている。即ち、営業店１Ａ（ここではＡ乃至Ｇ）に勤務する従業員の各々は、実際に自己が勤務する営業店に出社しない限りは、営業店日替り暗証表示盤１４に表示されている暗証を知ることができないので、これにより、例えば、在宅のままでの出退勤情報の入力及び送信を論理的に阻止している。
【００３１】
営業店日替り暗証表示盤１４には、電光掲示板を使用して暗証を表示してもよいが、簡単には手書き等で紙に暗証を書いたものを掲示してもよい。また、表示または掲示する暗証は、周期的に変化させてもよい。そして、この暗証は、営業店１Ａの各々が発行して本部２の出退勤時間管理サーバ２１に通知するものであってもよいし、本部２の出退勤時間管理サーバ２１が営業店１Ａ毎に発行して営業店１Ａの各々に通知するものであってもよい。
【００３２】
図４は、本発明の実施形態に係る出退勤時間管理システムの全体構成の他の１例を示す構成図である。
【００３３】
図４に示す構成では、営業店１Ａ（ここではＡ乃至Ｇ）に、図２，３に示す営業店１の電話機設置場所１１は設置せず、従業員の各々が所持する携帯電話機１３Ａだけを使用して自己の出退勤情報を入力及び送信できるようにしている。営業店日替り暗証表示盤１４に表示される暗証の機能については、前述のとおりである。
【００３４】
図５は、本発明の実施形態に係る出退勤時間管理システムにおいて入力する出退勤情報の１例と、その入力方法とを示す説明図であり、図５（ａ）は出退勤情報の１例、図５（ｂ）は音声ガイドによる入力方法、図５（ｃ）は入力画面による入力方法を示すものである。
【００３５】
図５（ａ）に示す出退勤情報には、本営業体全体または営業店毎に一意に割り当てられた従業員番号を示す「従業員ＩＤ」と、出勤／退勤の区別を示す「出退勤区分コード」の各データ項目が設けられている。図５（ｂ）に示す音声ガイドによる出退勤情報の入力方法では、音声ガイド：「従業員ＩＤを入力して下さい」が出力された直後に従業員ＩＤ（ここでは「６１１３５８」）を入力し、また、その後に、音声ガイド：「出退勤区分コードを入力して下さい」が出力された直後に出退勤区分コード（ここでは出社を「１」、退社を「０」としている）を入力する場面が示されている。
【００３６】
図５（ｃ）に示す表示画面による出退勤情報の入力方法では、出退勤情報の入力画面に設けられた各データ項目の表示に従って、ここでは従業員ＩＤ及び出退勤区分コードを入力することが示されている。尚、図５に例示する出退勤情報及びその入力方法は、図２に示す出退勤時間管理システムに対応している。
【００３７】
図６は、本発明の実施形態に係る出退勤時間管理システムにおいて入力する出退勤情報の他の１例と、その入力方法とを示す説明図であり、図６（ａ）は出退勤情報の１例、図６（ｂ）は音声ガイドによる入力方法、図６（ｃ）は入力画面による入力方法を示すものである。
【００３８】
図６（ａ）に示す出退勤情報には、本営業体全体または営業店毎に一意に割り当てられた従業員番号を示す「従業員ＩＤ」と、出勤／退勤の区別を示す「出退勤区分コード」と、従業員が実際に出社しなければ知ることができない「営業店日替り暗証」の各データ項目が設けられている。図５（ｂ）に示す音声ガイドによる出退勤情報の入力方法では、音声ガイド：「従業員ＩＤを入力して下さい」が音声出力された直後に従業員ＩＤ（ここでは「６１１３５８」）を入力し、また、その後に、音声ガイド：「出退勤区分コードを入力して下さい」が出力された直後に出退勤区分コード（ここでは出社を「１」、退社を「０」としている）を入力し、さらに、その後に、音声ガイド：「営業店日替り暗証を入力して下さい」が音声出力された直後に営業店日替り暗証（ここでは「３８２９」）を入力する場面が示されている。
【００３９】
図６（ｃ）に示す表示画面による出退勤情報の入力方法では、出退勤情報の入力画面に設けられた各データ項目の表示に従って、ここでは従業員ＩＤ、出退勤区分コード、及び営業店日替り暗証を入力することが示されている。
図６に例示する出退勤情報及びその入力方法は、図３に示す出退勤時間管理システムに対応している。但し、出退勤情報を携帯電話機１３Ａを使用して入力する場合には、後述の図７に示す出退勤情報及びその入力方法を用いてもよい。
【００４０】
図７は、本発明の実施形態に係る出退勤時間管理システムにおいて入力する出退勤情報の他の１例と、その入力方法とを示す説明図であり、図７（ａ）は出退勤情報の１例、図７（ｂ）は音声ガイドによる入力方法、図７（ｃ）は入力画面による入力方法を示すものである。
【００４１】
図７（ａ）に示す出退勤情報には、出勤／退勤の区別を示す「出退勤区分コード」と、従業員が実際に出社しなければ知ることができない「営業店日替り暗証」の各データ項目が設けられている。図７（ｂ）に示す音声ガイドによる出退勤情報の入力方法では、音声ガイド：「出退勤区分コードを入力して下さい」が出力された直後に出退勤区分コード（ここでは出社を「１」、退社を「０」としている）を入力し、さらに、その後に、音声ガイド：「営業店日替り暗証を入力して下さい」が音声出力された直後に営業店日替り暗証（ここでは「３８２９」）を入力する場面が示されている。
【００４２】
図７（ｃ）に示す表示画面による出退勤情報の入力方法では、出退勤情報の入力画面に設けられた各データ項目の表示に従って、ここでは出退勤区分コード及び営業店日替り暗証を入力することが示されている。なお、この場合、従業員ＩＤについては、出退勤時間管理サーバ２１に登録されている電話番号に基づいて出退勤時間管理サーバ２１が割り出すので、入力する必要がない。尚、図７に例示する出退勤情報及びその入力方法は、図４に示す出退勤時間管理システムに対応している。
【００４３】
図８は、本発明の実施形態に係る出退勤時間管理システムの出退勤時間管理サーバ２１が出力する出退勤時間管理一覧表（出力データ）の１例を示す説明図である。図８に示す出退勤時間管理一覧表（出力データ）には、タイトルとして「出退勤時間一覧表」が印刷されており、さらに、その右端には出退勤時間収集の対象期間範囲を示す年月（ここでは「２００７年１月」）が印刷されている。
【００４４】
また、「出退勤時間一覧表」のデータ項目として、「日付」、「営業店」、「従業員ＩＤ」、「氏名」、「出社時刻」、「退社時刻」、及び「残業時間」、の各項目が設けられている。尚、「営業店」については項目扱いとせず、最上部のタイトルの印刷位置まで持ち上げて印刷してもよい。
【００４５】
ところで、図８に示す営業店Ａ，Ｂでは、正規の勤務時間を９：００−１７：３０としており、昼休みは１時間として総勤務時間を計算している。
【００４６】
図９は、本発明の実施形態に係る出退勤時間管理システムにおける出退勤時間管理サーバ２１の機能ブロック構成を示す構成図である。
【００４７】
図９において、出退勤時間管理サーバ２１は、全体を制御する制御部３１と、登録される電話番号と従業員ＩＤとの対応等を格納する電話番号登録ＤＢ（データベース）（３２）と、従業員に関する情報（勤務する営業店等）を営業店毎に格納する従業員情報登録ＤＢ（３３）と、営業店に関する情報（営業店名、勤務する従業員の、従業員ＩＤ、住所、従業員数、及び電話機設置場所１１に設置する電話機の電話番号等）を格納する営業店情報登録ＤＢ（３４）と、発行された営業店日替り暗証を一時記憶するための営業店日替り暗証記憶用ＤＢ（３５）と、出退勤情報を入力することなどのために開設されるウェブページを格納するウェブページＤＢ（３６）と、集計された出退勤情報や集計途中の出退勤情報を格納する出退勤情報記録用ＤＢ（３７）と、を備えて構成される。
【００４８】
制御部３１は、他の構成要素の処理を分担すると共に他の構成要素を制御する主制御部３１１と、出退勤情報の収集、集計、保管等に必要なプログラムやデータを記憶するＲＡＭ３２１と、回線接続を制御する回線制御部３１２と、通信網１０とのプロトコルを備えて他の端末装置や電話機との通信を行う通信制御部３１３と、出退勤情報を入力することなどのために開設されるウェブページの管理とアクセス制御とを行うウェブサーバ３１４と、データベース（３２〜３７）を制御するＤＢ（データベース）管理部３１５と、音声ガイダンスを備え、電話機から通信制御部３１３を介して出退勤情報を収集し、記録及び出力を行う電話情報収集部３１６と、集計された出退勤情報を一覧表の形式で印刷する印刷部３１７と、を備える。この他に、制御部３１は、出退勤情報の処理状況をモニタするための表示部、及びＯＣＲやスキャナ等を制御する入力装置制御部等を必要に応じて備えることができる。
【００４９】
主制御部３１１は、本サーバ全体を制御すると共に出退勤情報の収集、集計、保管等に関する補助的な処理を行う。より具体的には、電話情報収集部３１６が収集した出退勤情報を出退勤情報記録用ＤＢへ記録する処理や、印刷部３１７を介して出退勤時間管理一覧表（図８）を出力させる処理の制御及び補助を行う。
【００５０】
ＲＡＭ３２１は、本サーバ全体を制御するための制御プログラム及び出退勤時間一覧表（図８）の作成処理に必要なプログラムやデータを記憶すると共に、前記の各処理の実行に必要な一時的データ（テンポラリデータ）を一時的に記憶する。
【００５１】
回線制御部３１２は、本サーバを、通信網１０（公衆電話回線、ＬＡＮ、インターネット網等を含み得る）を介して、他の端末装置や電話機と双方向通信可能に接続するための通信プロトコルを備えるが、この他に、デジタル終端接続装置（ＤＳＵ）や侵入防止用のファイアウォールアプリケーションを実装したルータなどを備えて構成することができる。
【００５２】
通信制御部３１３は、ウェブサーバ３１４を制御すると共に、複数の他の端末装置や通信網１０に含まれる種々の通信回線との回線接続を選択的に行う制御を実行する。なお、この通信制御部３１３は、例えば、インターネット上での時刻同期用ＮＴＰ（Network Time Protocol）サーバ、分散ファイルシステム用のＮＦＳ（Network File System)サーバなどを備えることができる。
【００５３】
通信制御部３１３は、さらに、個人情報などの秘密保持のための暗号化データ転送用の暗号化通信プロトコルを保持し、ＳＳＬ（Secure Sockets Layer）サーバの制御を実行することができる。
【００５４】
ウェブサーバ３１４は、インターネット網を含む通信網１０上で基幹的な通信処理（ブラウジング）を実行するための主コンピュータとして動作する。このウェブサーバ３１４は、前記インターネット網上に開設されるホームページを運営するものであり、このホームページは出退勤情報の入力画面を備えたウェブページの先頭ページである。このウェブサーバ３１４は、他の端末装置や携帯電話機１３，１３Ａを介して前記ホームページまたはウェブページへのアクセスがなされた時に、前記ホームページ及び要求されたウェブページを通信制御部３１３を介して前記各機器に送信する制御を行う。
【００５５】
データベース管理部３１５は、入出力バス３２０を介して、前記の各データベース（３２〜３７）を管理する。この管理には、オペレーティングシステムによるファイルの排他制御（占有制御）や、バッファリング技法が含まれる。
【００５６】
電話情報収集部３１６は、出退勤情報を収集する際のタイミングを指示するのに必要な複数の音声ガイダンスを備え、この音声ガイダンスによる音声ガイドにより、主制御部３１１の制御の下で、各営業店内の各電話機（固定式及び携帯式）から、通信制御部３１３を介して出退勤情報を収集する。ここで、この電話情報収集部３１６は、制御部３１若しくは本サーバ２１に対して外付けであってもよく、主制御部３１１から出退勤情報の一括収集の依頼があった時に、出退勤情報を一括収集した後で、収集結果を纏めて出力するようなものであってもよい。さらに、市販の装置を使用することも可能である。
【００５７】
印刷部３１７は、入力された出退勤情報から出退勤時間一覧表（図８）を作成し、プリンタ（図示は省略）により印刷する。
【００５８】
図１０は、本発明の実施形態に係る出退勤時間管理システムの出退勤時間管理サーバ２１における主制御部３１１の出退勤情報を収集する処理の動作を示すフローチャート図である。
【００５９】
以下、図２に示すシステム構成の場合で、出退勤時間管理サーバ２１に対して、各営業店の電話機から、出退勤情報を入力するための発呼がなされた以降の主制御部３１１の出退勤情報を収集する処理の動作を説明する。
【００６０】
（ステップＳ１）
まず、ステップＳ１では、主制御部３１１は、発呼元の電話機が固定式（固定電話機）であるか若しくは携帯式（携帯電話機）であるかを検証する。
【００６１】
（ステップＳ２）
ステップＳ２では、主制御部３１１は、発呼元の電話機が固定式の場合はステップＳ３に進み、発呼元の電話機が携帯式の場合はステップＳ６に移る。
【００６２】
（ステップＳ３）
ステップＳ３では、主制御部３１１は、電話情報収集部３１６を起動する。既に起動している場合は、そのままステップＳ４に進む。
【００６３】
（ステップＳ４）
ステップＳ４では、主制御部３１１は、電話情報収集部３１６を介し、「従業員ＩＤを入力して下さい」という内容の音声ガイダンスを送信させ、その応答である従業員ＩＤを受信し、出退勤情報記録用ＤＢに記録する。
【００６４】
（ステップＳ５）
ステップＳ５では、主制御部３１１は、電話情報収集部３１６を介し、「出退勤区分コードを入力して下さい」という内容の音声ガイダンスを送信させ、その応答である出退勤区分コードを受信し、出退勤情報記録用ＤＢ３７に記録し、処理を終了する。
【００６５】
（ステップＳ６）
ステップＳ６では、主制御部３１１は、ウェブサーバ３１４を起動し、出退勤時刻入力画面（図５（ｃ））を送信させる。
【００６６】
（ステップＳ７）
ステップＳ７では、主制御部３１１は、受信した出退勤情報を出退勤情報記録用ＤＢ３７に記録し、処理を終了する。
【００６７】
尚、本システムが、図３，４に示すシステム構成である場合は、入力データ項目に「営業店日替り暗証」が追加され、動作フローもそれに対応したものとする。また、これらの場合、発呼元の電話番号をキーにして、営業店情報登録ＤＢ（３４）を検索して営業店名を特定する。また、発呼元の電話番号をキーにして、電話番号登録ＤＢ（３２）を検索することで従業員ＩＤを特定する。さらに、当該従業員ＩＤをキーにして従業員情報登録ＤＢ（３３）を検索し、営業店名を特定する。
【００６８】
ところで、上記の動作において、主制御部３１１は、必要に応じてエラーメッセージを発呼元に随時送信することができる。また、本発明に係る出退勤時間管理システムの各構成要素の処理の少なくとも一部をコンピュータ制御により実行するものとし、かつ、上記処理を、図１０のフローチャートで示した手順等によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して実行するようにしてもよい。
【産業上の利用可能性】
【００６９】
本発明は、複数の営業店（支店）を有する会社等の組織において、各営業店における従業員の出退勤管理（出退勤時間管理）を中央の本部において一括管理する出退勤時間管理システムに関するものであり、産業上の利用可能性を有する。
【図面の簡単な説明】
【００７０】
【図１】本発明の実施形態に係る出退勤時間管理システムが適用される営業体の組織全体の１構成例を示す説明図である。
【図２】本発明の実施形態に係る出退勤時間管理システムの全体構成の１例を示す構成図である。
【図３】本発明の実施形態に係る出退勤時間管理システムの全体構成の他の１例を示す構成図である。
【図４】本発明の実施形態に係る出退勤時間管理システムの全体構成の他の１例を示す構成図である。
【図５】本発明の実施形態に係る出退勤時間管理システムにおいて入力する出退勤情報の１例と、その入力方法とを示す説明図であり、図５（ａ）は出退勤情報の１例、図５（ｂ）は音声ガイドによる入力方法、図５（ｃ）は入力画面による入力方法を示すものである。
【図６】本発明の実施形態に係る出退勤時間管理システムにおいて入力する出退勤情報の他の１例と、その入力方法とを示す説明図であり、図６（ａ）は出退勤情報の１例、図６（ｂ）は音声ガイドによる入力方法、図６（ｃ）は入力画面による入力方法を示すものである。
【図７】本発明の実施形態に係る出退勤時間管理システムにおいて入力する出退勤情報の他の１例と、その入力方法とを示す説明図であり、図７（ａ）は出退勤情報の１例、図７（ｂ）は音声ガイドによる入力方法、図７（ｃ）は入力画面による入力方法を示すものである。
【図８】本発明の実施形態に係る出退勤時間管理システムの出退勤時間管理サーバ２１が出力する出退勤時間一覧表（出力データ）の１例を示す説明図である。
【図９】本発明の実施形態に係る出退勤時間管理システムにおける出退勤時間管理サーバ２１の機能ブロック構成を示す構成図である。
【図１０】本発明の実施形態に係る出退勤時間管理システムの出退勤時間管理サーバ２１における主制御部３１１の出退勤情報を収集する処理の動作を示すフローチャートである。
【符号の説明】
【００７１】
１（１Ａ、１Ｂ）：営業店
２：本部
１０：通信網
１１：電話機設置場所
１２：電話機（固定電話機）
１３，１３Ａ：携帯電話機
１４：営業店日替り暗証表示盤
２０：携帯電話中継局及び基地局
２１：出退勤時間管理サーバ
３１４：ウェブサーバ
３１６：電話情報収集部
【図１】
0005318402.tif 000002
【図２】
0005318402.tif 000003
【図３】
0005318402.tif 000004
【図４】
0005318402.tif 000005
【図５】
0005318402.tif 000006
【図６】
0005318402.tif 000007
【図７】
0005318402.tif 000008
【図８】
0005318402.tif 000009
【図９】
0005318402.tif 000010
【図１０】
0005318402.tif 000011